(57)【特許請求の範囲】
【請求項１】
車枠上に搭載された塵芥収容箱の後面開口部に塵芥積込装置を備えた塵芥投入箱が傾動可能に連設されてなる塵芥収集車において、
前記塵芥収容箱と前記塵芥投入箱との接合部分上部間に設けられ、前記接合部分上部間を被覆する塵芥収集車の塵芥投入箱上部カバーであって、
少なくとも上面および両側面で形成され、且つ、前記接合部分上部の各部材に干渉しないように形成されたハードカバーであり、
前記塵芥投入箱の上部にロッドを介して連結されるとともに、その前部が塵芥収容箱の後端上部にヒンジを介して回動自在に支持されることにより、塵芥投入箱の傾動動作に連動して上記ヒンジを中心に回動するように構成されたことを特徴とする塵芥収集車の塵芥投入箱上部カバー。
【発明の詳細な説明】
【技術分野】
【０００１】
本発明は、塵芥収集車において、塵芥収容箱とこの後部に連設された塵芥投入箱との上部に亘って設けられた上部カバーの構造に関する。
【背景技術】
【０００２】
従来、塵芥収集車としては、車枠上に搭載された塵芥収容箱の後面開口部に塵芥積込装置を備えた塵芥投入箱が傾動可能に連設されるとともに、塵芥収容箱に排出板が前後に摺動自在に設けられている。
【０００３】
そして、塵芥積込装置による塵芥の積込みに伴って排出板を順次前方に移動させることで塵芥を塵芥収容箱に圧縮しながら積込むとともに、塵芥投入箱を上方に傾動させて塵芥収容箱の後部を開放した状態で排出板を後方まで移動させることによって塵芥を外部に排出している（例えば、特許文献１参照。）。
【０００４】
ところで、上述のように塵芥投入箱を塵芥収容箱に対して傾動させることから、塵芥投入箱と塵芥収容箱との接合部分上部間には構造上の隙間がどうしても生じ、この隙間からの雨水などの侵入を防止するために従来からカバーを取付けていた。この場合、塵芥投入箱の傾動動作を許容する必要があることから従来ではカバーとして柔軟性を有するキャンバスシートを塵芥投入箱と塵芥収容箱との上部間に亘って配設していた（例えば、特許文献２参照）。
【特許文献１】特開２０００−２１９３０３号公報
【特許文献２】実開平１−７８６０４号公報
【発明の開示】
【発明が解決しようとする課題】
【０００５】
しかしながら、上記従来のようにキャンバスシートで上面を覆うだけでは、塵芥収容箱及び塵芥投入箱の接合部分上部においてキャンバスシートとの間、特に側部に大きな隙間がどうしても生じ水密構造にはなっていなかった。このため上記隙間からの雨水の侵入を防止することができないとともに、塵芥収容箱と塵芥投入箱との上部に亘って配策された油圧配管がバーストすると上記隙間を通じて外部周辺に油が飛散するといった問題があった。また、キャンバスシートでは、どうしても波打った状態で配設されるため、見栄えが悪く全体の意匠感を損なうという問題があった。
【０００６】
本発明は、上記問題点に鑑みてなされたもので、その目的とするところは、塵芥投入箱の傾動動作を許容しながら当該塵芥投入箱が塵芥収容箱と連結状態に配置された場合には、両者間に生じる隙間からの雨水の侵入などを防止するとともに、外観にも優れた塵芥収集車の塵芥投入箱上部カバーを提供することにある。
【課題を解決するための手段】
【０００７】
上記の目的を達成するため、請求項１に係る発明の塵芥収集車の塵芥投入箱上部カバーは、車枠上に搭載された塵芥収容箱の後面開口部に塵芥積込装置を備えた塵芥投入箱が傾動可能に連設されてなる塵芥収集車において、前記塵芥収容箱と前記塵芥投入箱との接合部分上部間に設けられ、前記接合部分上部間を被覆する塵芥収集車の塵芥投入箱上部カバーであって、少なくとも上面および両側面で形成され、且つ、前記接合部分上部の各部材に干渉しないように形成されたハードカバーであり、前記塵芥投入箱の上部にロッドを介して連結されるとともに、その前部が塵芥収容箱の後端上部にヒンジを介して回動自在に支持されることにより、塵芥投入箱の傾動動作に連動して上記ヒンジを中心に回動するように構成されたものである。
【発明の効果】
【０００８】
本発明によれば、塵芥投入箱の傾動動作を許容した上で塵芥収容箱と塵芥投入箱の接合部分上部間全体をほとんど隙間なく被覆することができ、雨水の侵入などを防止できるとともに、塵芥投入箱などと一体的になった形で見栄えもよく、意匠の飛躍的な向上をも図ることができる。
【発明を実施するための最良の形態】
【０００９】
以下、本発明の実施の形態について図面を参照して説明する。
【００１０】
図１は、塵芥収集車の全体構成を示している。
【００１１】
図１において、１は、車輌の車枠であって、この車枠１の前部には運転席２が配置されるとともに、その後部に塵芥収容箱３が搭載されている。
【００１２】
塵芥収容箱３の後面は開放された開口部になされており、この開口部には塵芥投入箱５が当該塵芥投入箱５と塵芥収容箱３との間に連結された図示しない傾動シリンダにより枢軸４を以て傾動可能に連設されている。
【００１３】
塵芥投入箱５内には図示しない従来周知の塵芥積込装置が装備されており、当該塵芥積込装置により塵芥投入箱５の後部に形成された投入部５１から投入した塵芥を塵芥収容箱３に積込むようになされている。
【００１４】
一方、前記塵芥収容箱３内には、排出板６が前後方向に摺動自在に配設され、塵芥収容箱３の前部と排出板６との間に設けられた図示しない排出シリンダの伸縮動作により排出板６が塵芥収容箱３内を前後方向に往復動自在に設けられている。
【００１５】
従って、塵芥積込装置による塵芥収容箱３内への塵芥の積込みにより前記排出板６に所定圧以上の反力が作用した場合に、この排出板６を順次前方に移動させることで塵芥を塵芥収容箱３に高密度に圧縮して積込むことができる。また、塵芥投入箱５を上方に傾動させて塵芥収容箱３の後面を開放した状態で排出板６を前方から後方まで移動させることによって塵芥を外部に排出するようにしている。
【００１６】
ところで、前記塵芥収容箱３と前記塵芥投入箱５の接合部分上部間には本発明の主要部を構成するカバー７が設けられている。
【００１７】
カバー７は、図２に示すように上記接合部分上部間を全幅方向に亘って被覆するハードカバーであって、例えばプラスチック製や金属製などで作製されている。
【００１８】
そして、このカバー７は、その前部７ａが塵芥収容箱３の後端上部に回動自在に支持されている。具体的には、図３に示すように塵芥収容箱３の後端上部にアングル７１が設けられており、このアングル７１の上片とカバー７の前部垂下片７ｂとがヒンジ７２によって連結されている。ヒンジ７２は幅方向に所定の間隔を隔てて適宜設けられている。
【００１９】
また、カバー７の上面は、前部から後部にかけて塵芥投入箱５の外形に沿った湾曲形状に形成されるとともに、前記枢軸４など接合部分上部の各部材と干渉しないように形成され、塵芥収集車全体として一体的な感じが得られるようになされている。
【００２０】
そして、カバー７の後部側面と塵芥投入箱５の上部側面との間がロッド７３で連結されており、このロッド７３によって塵芥投入箱５の前述した傾動動作に連動してカバー７が上記ヒンジ７２を中心にして上方に回動するように構成されている（図２二点鎖線参照）。
【００２１】
このようにカバー７を設けたことで、塵芥投入箱５の傾動動作を許容した上で塵芥収容箱３と塵芥投入箱５の接合部分上部間全体をほとんど隙間なく被覆することができ、雨水の侵入を防止できるとともに、内部で油圧配管がバーストしてもカバー７によって外部周辺への油の飛散を防止することができる。
【００２２】
また、塵芥投入箱５などと一体的になった形で見栄えもよく、意匠の飛躍的な向上も図ることができる。
【図面の簡単な説明】
【００２３】
【図１】塵芥収集車を示す側面図である。
【図２】カバー周辺部を示す拡大の側面図である。
【図３】図２におけるＡ部拡大の断面図である。
【符号の説明】
【００２４】
１  車枠
３  塵芥収容箱
５  塵芥投入箱
７  カバー
７ａ  前部
７２  ヒンジ
【図１】
0004615894.tif 000002
【図２】
0004615894.tif 000003
【図３】
0004615894.tif 000004